(57)【特許請求の範囲】
【請求項１】
相場取引の取引結果と該取引結果から生成される指標情報とを含む相場情報を、銘柄と取引日とに対応付けて保持するデータベースを有し、設定されたスクリーニング条件を満たす銘柄を抽出する銘柄抽出システムであって、
所定の銘柄選択画面にて選択された銘柄が入力されると、当該選択されて入力された銘柄の各相場情報を前記データベースから取得して、相場情報の推移を示す１又は２以上のグラフを所定の情報推移画面に表示して所望の取引日と相場情報種を選択させるためのデータを入力元へ返す推移画面制御手段と、
前記情報推移画面にて選択された取引日と１又は２以上の相場情報種とが入力されると、当該取引日に於ける当該１又は２以上の各相場情報種の状態を当該１又は２以上の各相場情報種の附属メッセージ情報に従ってそれぞれ特定するとともに当該特定した状態を図解表示するための図解表示データをそれぞれ作成し、前記情報推移画面内に表示してそれぞれ確認操作させるためのデータとして入力元へ返す図解確認制御手段と、
相場情報種に対応付けて前記情報推移画面内に表示した図解表示の確認操作が検出されて入力されると、当該図解表示が指す状態を当該相場情報種のスクリーニング条件として設定する条件制御手段と、
を有することを特徴とする銘柄抽出システム。
【請求項２】
相場取引の取引結果と該取引結果から生成される指標情報とを含む相場情報を、銘柄と取引日とに対応付けて保持するデータベースを有し、設定されたスクリーニング条件を満たす銘柄を抽出する銘柄抽出システムであって、
所定の銘柄選択画面にて銘柄が選択されると、当該選択された銘柄の各相場情報を前記データベースから取得して、相場情報の推移を示す１又は２以上のグラフを所定の情報推移画面に表示して所望の取引日と相場情報種を選択させる推移画面制御手段と、
前記情報推移画面にて取引日と１又は２以上の相場情報種とが選択されると、当該取引日に於ける当該１又は２以上の各相場情報種の状態を当該１又は２以上の各相場情報種の附属メッセージ情報に従ってそれぞれ特定するとともに当該特定した状態を図解表示するための図解表示データをそれぞれ作成し、前記情報推移画面内に表示してそれぞれ確認操作させる図解確認制御手段と、
相場情報種に対応付けて前記情報推移画面内に表示した図解表示の確認操作が検出されると、当該図解表示が指す状態を当該相場情報種のスクリーニング条件として設定する条件制御手段と、
を有することを特徴とする銘柄抽出システム。
【請求項３】
相場取引の取引結果と該取引結果から生成される指標情報とを含む相場情報を、銘柄と取引日とに対応付けて保持するデータベースを有し、設定されたスクリーニング条件を満たす銘柄を抽出する銘柄抽出システムであって、
所定の銘柄選択画面にて銘柄が選択されると、当該選択された銘柄の相場情報を前記データベースから取得して、相場情報の推移を示す１又は２以上のグラフを所定の情報推移画面のグラフ表示領域に表示する推移画面制御手段と、
前記情報推移画面のグラフ表示領域にて取引日が選択され前記情報推移画面にて相場情報種が選択されると、当該選択された取引日の当該選択された相場情報種に基づいてスクリーニング条件を設定する条件制御手段と、
を有し、
前記推移画面制御手段は、前記グラフ表示領域として、縦軸と横軸の一方に取引日を時系列に目盛るとともに他方に相場情報の値を目盛った１又は２以上の第１種のグラフ表示領域と、縦軸と横軸の一方に指標情報の特性に起因して連続する複数の取引日が重ねられている重複取引日と複数の取引日が重ねられていない単独の取引日とが混在し得る加工取引日を時系列に目盛るとともに他方に当該指標情報の値を目盛った第２種のグラフ表示領域とを画定し、
さらに、
画面上での現在位置を指すカーソルが前記第１種のグラフ表示領域の何れかに在る場合は、当該カーソルから前記一方の軸へ下ろした垂線を当該第１種のグラフ表示領域に表示するとともに、該垂線が交叉する取引日を選択可能とし、該取引日を通る垂線を他の第１種のグラフ表示領域にも併せて表示する取引日選択補助手段と、
画面上での現在位置を指すカーソルが前記第２種のグラフ表示領域に在る場合は、当該カーソルから前記一方の軸へ下ろした垂線が交叉する加工取引日を構成する１又は２以上の取引日を、前記第１種のグラフ表示領域にて明示する取引日明示手段と、
を有することを特徴とする銘柄抽出システム。
【請求項４】
請求項３に於いて、
さらに、
前記１又は２以上の第１種のグラフ表示領域の何れかに現在表示中である各相場情報種を保持する情報種保持手段と、
前記１又は２以上の第１種のグラフ表示領域の何れかに在るカーソルに基づく操作入力が検出されると、前記情報種保持手段が保持している相場情報種を前記情報推移画面に選択可能にポップアップ表示するとともに、選択結果としての１又は２以上の相場情報種を前記条件制御手段に渡す指標選択補助手段と、
を有し、
前記条件制御手段は、前記１又は２以上の第１種のグラフ表示領域の何れかに在るカーソルに基づく操作入力が検出されると、当該カーソルから前記一方の軸へ下ろした垂線が交叉している取引日の選択として処理する、
ことを特徴とする銘柄抽出システム。
【請求項５】
コンピュータを、請求項１〜請求項４の何れかの銘柄抽出システムとして機能させるためのプログラム。
【請求項６】
相場取引の取引結果と該取引結果から生成される指標情報とを有し銘柄と取引日とに対応付けられている相場情報の推移を示す２以上のグラフを所定の情報推移画面内のグラフ表示領域に表示する相場情報表示装置としてコンピュータを機能させるためのプログラムであって、
前記グラフ表示領域として、縦軸と横軸の一方に取引日を時系列に目盛るとともに他方に相場情報の値を目盛った第１種のグラフ表示領域と、縦軸と横軸の一方に指標情報の特性に起因して連続する複数の取引日が重ねられている重複取引日と複数の取引日が重ねられていない単独の取引日とが混在し得る加工取引日を時系列に目盛るとともに他方に当該指標情報の値を目盛った第２種のグラフ表示領域とを画定する推移画面制御手段と、
画面上での現在位置を指すカーソルが前記第１種のグラフ表示領域に在る場合は当該カーソルから前記一方の軸へ下ろした垂線が交叉する取引日を選択可能とする取引日選択補助手段と、
画面上での現在位置を指すカーソルが前記第２種のグラフ表示領域に在る場合は当該カーソルから前記一方の軸へ下ろした垂線が交叉する加工取引日を構成する１又は２以上の取引日を前記第１種のグラフ表示領域にて明示する取引日明示手段と、
を有することを特徴とする相場情報表示装置としてコンピュータを機能させるためのプログラム。
【発明の詳細な説明】
【技術分野】
【０００１】
本発明は、株取引や為替取引或いは先物取引等の相場取引についてスクリーニング条件を設定し、該設定した条件を満たす銘柄を抽出する技術に関する。詳しくは、相場情報の推移を示すグラフを表示して成る画面にて、スクリーニング条件を直観的に設定することができる銘柄抽出システム及びプログラムに関する。
また、本発明は、株取引や為替取引或いは先物取引等の相場取引の指標の推移を示す各種のグラフについて、相互の時間軸を見易く表示する技術に関する。
【背景技術】
【０００２】
インターネットを介する株取引に関して、ユーザ所望のスクリーニング条件を満たす銘柄を抽出するサービスが提供され、又は、提案されている。
例えば、特開２００６−３３０８２４号公報（特許文献１）には、ユーザ指定の或る特定の時期に於いて、株価等の指標がユーザ指定の或る特定の状態であった銘柄を抽出するシステムが記載されている。特許文献１のシステムによると、或る特徴的な時期（例：猛暑だった時期，豪雪だった時期等）に於いて、或る指標が或る特徴的な状態（例：株価急騰）を示した銘柄を抽出することができる。
【先行技術文献】
【特許文献】
【０００３】
【特許文献１】特開２００６−３３０８２４号公報
【発明の概要】
【発明が解決しようとする課題】
【０００４】
相場取引に於けるスクリーニング条件の設定は、条件の種類が種々雑多であり、各条件の設定態様も条件毎にそれぞれ異なるため、各条件の意義を十分に理解している必要があり、素人には非常に設定困難である。
例えば、
「新値の方向が上方向」
「当日の終値移動平均どうしの乖離で５日線と１０日線が前日と比較して拡大」
「前日のボリュームレシオが７０％以上」
「当日のＲＳＩが３０％以下」
「新値の新値本数が５本以上」
「前日のＭＡＣＤオシレータがマイナス圏からプラス圏に転換」
等のように、種々雑多であり、各条件の設定態様も条件毎にそれぞれ異なる。
本願は、かかる事情に鑑みたものであり、素人であっても、直観的に、所望のスクリーニング条件を設定できるようにすることを目的の一つとする。
【０００５】
ユーザ所望のスクリーニング条件を満たす銘柄を抽出するサービスでは、所望の銘柄の所望の期間に於ける相場情報（取引結果や指標情報）の推移を、横軸に取引日を時系列に目盛るとともに縦軸に当該の情報値（指標値等）を目盛ってグラフ化した画像が提供される。また、この画像では、取引結果や指標情報の種類が多いため、複数の表示領域に、それぞれ異なる相場情報（取引結果や指標情報）のグラフが表示される。
【０００６】
多くの指標情報では、横軸（時間軸＝取引日）のスケールが共通であるため、グラフ間の時間軸に関する対応関係を把握し易いのであるが、指標情報の一つである新値三本足では、その特性に起因して、連続する複数の取引日が重ねられて１日分のスケールに集約される場合が生じてしまうため、横軸（時間軸＝取引日）のスケールの共通性が破れ、その結果、グラフ間の時間軸に関する対応関係の把握が困難となる。
【０００７】
本発明は、かかる事情に鑑みたものであり、指標情報の特性に起因して横軸（時間軸＝取引日）のスケールの共通性が破れる場合でも、グラフ間の時間軸についての対応関係を把握し易くすることを別の目的とする。
【課題を解決するための手段】
【０００８】
本発明の構成を、下記［１］〜［６］に記す。なお、この項（［課題を解決するための手段］）に於いて、符号や括弧書きで伏した図番等は理解を容易にするために付したものであり、本発明を符号等の構成に限定する趣旨ではない。
【０００９】
［１］構成１
相場取引の取引結果と該取引結果から生成される指標情報とを含む相場情報を、銘柄と取引日とに対応付けて保持するデータベース１１を有し、設定されたスクリーニング条件を満たす銘柄を抽出する銘柄抽出システムであって、
所定の銘柄選択画面（図３）にて選択された銘柄が入力されると、当該選択されて入力された銘柄の各相場情報を前記データベース１１から取得して、相場情報の推移を示す１又は２以上のグラフを所定の情報推移画面（図４，図５）に表示して所望の取引日と相場情報種を選択させるためのデータを入力元へ返す推移画面制御手段と、
前記情報推移画面にて選択された取引日と１又は２以上の相場情報種とが入力されると、当該取引日に於ける当該１又は２以上の各相場情報種の状態を当該１又は２以上の各相場情報種の附属メッセージ情報に従ってそれぞれ特定するとともに当該特定した状態を図解表示するための図解表示データをそれぞれ作成し、前記情報推移画面内に表示してそれぞれ確認操作させるためのデータとして入力元へ返す図解確認制御手段と、
相場情報種に対応付けて前記情報推移画面（図４，図５）内に表示した図解表示の確認操作が検出されて入力されると、当該図解表示が指す状態を当該相場情報種のスクリーニング条件として設定する条件制御手段と、
を有することを特徴とする銘柄抽出システム。
［２］構成２
相場取引の取引結果と該取引結果から生成される指標情報とを含む相場情報を、銘柄と取引日とに対応付けて保持するデータベース１１を有し、設定されたスクリーニング条件を満たす銘柄を抽出する銘柄抽出システムであって、
所定の銘柄選択画面（図３）にて銘柄が選択されると、当該選択された銘柄の各相場情報を前記データベース１１から取得して、相場情報の推移を示す１又は２以上のグラフを所定の情報推移画面（図４，図５）に表示して所望の取引日と相場情報種を選択させる推移画面制御手段と、
前記情報推移画面にて取引日と１又は２以上の相場情報種とが選択されると、当該取引日に於ける当該１又は２以上の各相場情報種の状態を当該１又は２以上の各相場情報種の附属メッセージ情報に従ってそれぞれ特定するとともに当該特定した状態を図解表示するための図解表示データをそれぞれ作成し、前記情報推移画面（図４，図５）内に表示してそれぞれ確認操作させる図解確認制御手段と、
相場情報種に対応付けて前記情報推移画面（図４，図５）内に表示した図解表示の確認操作が検出されると、当該図解表示が指す状態を当該相場情報種のスクリーニング条件として設定する条件制御手段と、
を有することを特徴とする銘柄抽出システム。
前記構成１の銘柄抽出システムは、クライアントからの要求に応じて前記の機能を実現するサーバである。このサーバとしては、複数のコンピュータをインターネット等のネットを介して構成したクラウドであってもよい。
前記構成２の銘柄抽出システムは、クライアントと、構成１のサーバと、から成るシステムである。このサーバも、構成１と同様である。また、クライアント側にどの範囲までの機能を持たせるかも、任意である。
【００１０】
取引結果としては、例えば、株取引の取引日、始値、終値、高値、安値、出来高、売買代金を挙げることができる。
また、指標情報としては、例えば、株取引の前日比、騰落率、移動平均線、連騰／連敗数、窓開け、サイコロジカル、ＲＳＩ（Relative Strength Index）、ＶＲ（ボリュームレシオ）、ＭＡＣＤ（Moving Average Convergence Divergence ）、ボリンジャーバンド、ストキャスティクス、エンベロープ、パラボリック、モメンタム、ＲＣＩ（Rank Correlation Index）、新値三本足、一目均衡表、移動平均線の乖離率、新値本数等を挙げることができる。
相場情報の推移を示すグラフとしては、例えば、株取引に関するローソク足、移動平均線、出来高、サイコロジカル、ＲＳＩ、ＶＲ、ＭＡＣＤオシレータ、新値３本足等を挙げることができる。
同一のグラフ表示領域に、２種以上のグラフを表示してもよい。例えば、ローソク足を表示するグラフ領域に、移動平均線（ＭＡ）を併せて表示してもよい。
【００１１】
［３］構成３
相場取引の取引結果と該取引結果から生成される指標情報とを含む相場情報を、銘柄と取引日とに対応付けて保持するデータベース１１を有し、設定されたスクリーニング条件を満たす銘柄を抽出する銘柄抽出システムであって、
所定の銘柄選択画面（図３）にて銘柄が選択されると、当該選択された銘柄の相場情報を前記データベース１１から取得して、相場情報の推移を示す１又は２以上のグラフを所定の情報推移画面（図４，図５）のグラフ表示領域に表示する推移画面制御手段と、
前記情報推移画面（図４，図５）のグラフ表示領域にて取引日が選択され前記情報推移画面（図４，図５）にて相場情報種が選択されると、当該選択された取引日の当該選択された相場情報種に基づいてスクリーニング条件を設定する条件制御手段と、
を有し、
前記推移画面制御手段は、前記グラフ表示領域として、縦軸と横軸の一方に取引日を時系列に目盛るとともに他方に相場情報の値を目盛った１又は２以上の第１種のグラフ表示領域と、縦軸と横軸の一方に指標情報の特性に起因して連続する複数の取引日が重ねられている重複取引日と複数の取引日が重ねられていない単独の取引日とが混在し得る加工取引日を時系列に目盛るとともに他方に当該指標情報の値を目盛った第２種のグラフ表示領域とを画定し、
さらに、
画面上での現在位置を指すカーソルが前記第１種のグラフ表示領域の何れかに在る場合は、当該カーソルから前記一方の軸へ下ろした垂線を当該第１種のグラフ表示領域に表示するとともに、該垂線が交叉する取引日を選択可能とし、該取引日を通る垂線を他の第１種のグラフ表示領域にも併せて表示する取引日選択補助手段と、
画面上での現在位置を指すカーソルが前記第２種のグラフ表示領域に在る場合は、当該カーソルから前記一方の軸へ下ろした垂線が交叉する加工取引日を構成する１又は２以上の取引日を、前記第１種のグラフ表示領域にて明示する取引日明示手段と、
を有することを特徴とする銘柄抽出システム。
指標の特性により複数の取引日が重ねられる指標としては、例えば、株式相場に於ける新値３本足を挙げることができる。
前記推移画面制御手段が第１種のグラフ表示領域や第２種のグラフ表示領域を画定する機能、取引日選択補助手段、取引日明示補助手段等、或いは、各機能もしくは手段の部分を、クライアント側に予め持たせるようにして相場情報等の軽いデータのみをサーバからクライアントへ送信するように構成してもよく、サーバ側で持つようにしてもよい。このことは、下記構成４の各手段についても同様である。
【００１２】
［４］構成４
構成３に於いて、
さらに、
前記１又は２以上の第１種のグラフ表示領域の何れかに現在表示中である各相場情報種を保持する情報種保持手段と、
前記１又は２以上の第１種のグラフ表示領域の何れかに在るカーソルに基づく操作入力が検出されると、前記情報種保持手段が保持している相場情報種を前記情報推移画面に選択可能にポップアップ表示するとともに、選択結果としての１又は２以上の相場情報種を前記条件制御手段に渡す指標選択補助手段と、
を有し、
前記条件制御手段は、前記１又は２以上の第１種のグラフ表示領域の何れかに在るカーソルに基づく操作入力が検出されると、当該カーソルから前記一方の軸へ下ろした垂線が交叉している取引日の選択として処理する、
ことを特徴とする銘柄抽出システム。
［５］構成５
コンピュータを、構成１〜構成４の何れかの銘柄抽出システムとして機能させるためのプログラム。
【００１３】
［６］構成６
相場取引の取引結果と該取引結果から生成される指標情報とを有し銘柄と取引日とに対応付けられている相場情報の推移を示す２以上のグラフを所定の情報推移画面内のグラフ表示領域に表示する相場情報表示装置としてコンピュータを機能させるためのプログラムであって、
前記グラフ表示領域として、縦軸と横軸の一方に取引日を時系列に目盛るとともに他方に相場情報の値を目盛った第１種のグラフ表示領域と、縦軸と横軸の一方に指標情報の特性に起因して連続する複数の取引日が重ねられている重複取引日と複数の取引日が重ねられていない単独の取引日とが混在し得る加工取引日を時系列に目盛るとともに他方に当該指標情報の値を目盛った第２種のグラフ表示領域とを画定する推移画面制御手段と、
画面上での現在位置を指すカーソルが前記第１種のグラフ表示領域に在る場合は当該カーソルから前記一方の軸へ下ろした垂線が交叉する取引日を選択可能とする取引日選択補助手段と、
画面上での現在位置を指すカーソルが前記第２種のグラフ表示領域に在る場合は当該カーソルから前記一方の軸へ下ろした垂線が交叉する加工取引日を構成する１又は２以上の取引日を前記第１種のグラフ表示領域にて明示する取引日明示手段と、
を有することを特徴とする相場情報表示装置としてコンピュータを機能させるためのプログラム。
【発明の効果】
【００１４】
構成１は、相場取引の取引結果と該取引結果から生成される指標情報とを含む相場情報を、銘柄と取引日とに対応付けて保持するデータベース１１を有し、設定されたスクリーニング条件を満たす銘柄を抽出する銘柄抽出システムであって、所定の銘柄選択画面（図３）にて選択された銘柄が入力されると、当該選択されて入力された銘柄の各相場情報を前記データベース１１から取得して、相場情報の推移を示す１又は２以上のグラフを所定の情報推移画面（図４，図５）に表示して所望の取引日と相場情報種を選択させるためのデータを入力元へ返す推移画面制御手段と、前記情報推移画面にて選択された取引日と１又は２以上の相場情報種とが入力されると、当該取引日に於ける当該１又は２以上の各相場情報種の状態を当該１又は２以上の各相場情報種の附属メッセージ情報に従ってそれぞれ特定するとともに当該特定した状態を図解表示するための図解表示データをそれぞれ作成し、前記情報推移画面内に表示してそれぞれ確認操作させるためのデータとして入力元へ返す図解確認制御手段と、相場情報種に対応付けて前記情報推移画面（図４，図５）内に表示した図解表示の確認操作が検出されて入力されると、当該図解表示が指す状態を当該相場情報種のスクリーニング条件として設定する条件制御手段と、を有することを特徴とする銘柄抽出システムであるため、素人であっても、直観的に、所望のスクリーニング条件を設定することができる。
構成２は、相場取引の取引結果と該取引結果から生成される指標情報とを含む相場情報を、銘柄と取引日とに対応付けて保持するデータベース１１を有し、設定されたスクリーニング条件を満たす銘柄を抽出する銘柄抽出システムであって、所定の銘柄選択画面（図３）にて銘柄が選択されると、当該選択された銘柄の各相場情報を前記データベース１１から取得して、相場情報の推移を示す１又は２以上のグラフを所定の情報推移画面（図４，図５）に表示して所望の取引日と相場情報種を選択させる推移画面制御手段と、前記情報推移画面にて取引日と１又は２以上の相場情報種とが選択されると、当該取引日に於ける当該１又は２以上の各相場情報種の状態を当該１又は２以上の各相場情報種の附属メッセージ情報に従ってそれぞれ特定するとともに当該特定した状態を図解表示するための図解表示データをそれぞれ作成し、前記情報推移画面（図４，図５）内に表示してそれぞれ確認操作させる図解確認制御手段と、相場情報種に対応付けて前記情報推移画面（図４，図５）内に表示した図解表示の確認操作が検出されると、当該図解表示が指す状態を当該相場情報種のスクリーニング条件として設定する条件制御手段とを有することを特徴とする銘柄抽出システムであるため、素人であっても、直観的に、所望のスクリーニング条件を設定することができる。
構成３は、相場取引の取引結果と該取引結果から生成される指標情報とを含む相場情報を、銘柄と取引日とに対応付けて保持するデータベース１１を有し、設定されたスクリーニング条件を満たす銘柄を抽出する銘柄抽出システムであって、所定の銘柄選択画面（図３）にて銘柄が選択されると、当該選択された銘柄の相場情報を前記データベース１１から取得して、相場情報の推移を示す１又は２以上のグラフを所定の情報推移画面（図４，図５）のグラフ表示領域に表示する推移画面制御手段と、前記情報推移画面（図４，図５）のグラフ表示領域にて取引日が選択され前記情報推移画面（図４，図５）にて相場情報種が選択されると、当該選択された取引日の当該選択された相場情報種に基づいてスクリーニング条件を設定する条件制御手段とを有し、前記推移画面制御手段は、前記グラフ表示領域として、縦軸と横軸の一方に取引日を時系列に目盛るとともに他方に相場情報の値を目盛った１又は２以上の第１種のグラフ表示領域と、縦軸と横軸の一方に指標情報の特性に起因して連続する複数の取引日が重ねられている重複取引日と複数の取引日が重ねられていない単独の取引日とが混在し得る加工取引日を時系列に目盛るとともに他方に当該指標情報の値を目盛った第２種のグラフ表示領域とを画定し、さらに、画面上での現在位置を指すカーソルが前記第１種のグラフ表示領域の何れかに在る場合は、当該カーソルから前記一方の軸へ下ろした垂線を当該第１種のグラフ表示領域に表示するとともに、該垂線が交叉する取引日を選択可能とし、該取引日を通る垂線を他の第１種のグラフ表示領域にも併せて表示する取引日選択補助手段と、画面上での現在位置を指すカーソルが前記第２種のグラフ表示領域に在る場合は、当該カーソルから前記一方の軸へ下ろした垂線が交叉する加工取引日を構成する１又は２以上の取引日を、前記第１種のグラフ表示領域にて明示する取引日明示手段とを有することを特徴とする銘柄抽出システムであるため、時間軸の共通性が破れる場合でもグラフ間の時間軸についての対応関係を容易に把握できる効果がある。
構成４は、構成３に於いて、さらに、前記１又は２以上の第１種のグラフ表示領域の何れかに現在表示中である各相場情報種を保持する情報種保持手段と、前記１又は２以上の第１種のグラフ表示領域の何れかに在るカーソルに基づく操作入力が検出されると、前記情報種保持手段が保持している相場情報種を前記情報推移画面に選択可能にポップアップ表示するとともに、選択結果としての１又は２以上の相場情報種を前記条件制御手段に渡す指標選択補助手段とを有し、前記条件制御手段は、前記１又は２以上の第１種のグラフ表示領域の何れかに在るカーソルに基づく操作入力が検出されると、当該カーソルから前記一方の軸へ下ろした垂線が交叉している取引日の選択として処理することを特徴とする銘柄抽出システムであるため、構成３が奏する効果に加えて、スクリーニング条件の基礎として採用するべき指標情報種を、各グラフを参照しつつ決定できる効果がある。
構成５は、コンピュータを、構成１〜４の銘柄抽出システムとして機能させるためのプログラムを提供できる。
構成６は、相場取引の取引結果と該取引結果から生成される指標情報とを有し銘柄と取引日とに対応付けられている相場情報の推移を示す２以上のグラフを所定の情報推移画面内のグラフ表示領域に表示する相場情報表示装置としてコンピュータを機能させるためのプログラムであって、前記グラフ表示領域として、縦軸と横軸の一方に取引日を時系列に目盛るとともに他方に相場情報の値を目盛った第１種のグラフ表示領域と、縦軸と横軸の一方に指標情報の特性に起因して連続する複数の取引日が重ねられている重複取引日と複数の取引日が重ねられていない単独の取引日とが混在し得る加工取引日を時系列に目盛るとともに他方に当該指標情報の値を目盛った第２種のグラフ表示領域とを画定する推移画面制御手段と、画面上での現在位置を指すカーソルが前記第１種のグラフ表示領域に在る場合は当該カーソルから前記一方の軸へ下ろした垂線が交叉する取引日を選択可能とする取引日選択補助手段と、画面上での現在位置を指すカーソルが前記第２種のグラフ表示領域に在る場合は当該カーソルから前記一方の軸へ下ろした垂線が交叉する加工取引日を構成する１又は２以上の取引日を前記第１種のグラフ表示領域にて明示する取引日明示手段とを有することを特徴とする相場情報表示装置としてコンピュータを機能させるためのプログラムであるため、複数の表示領域に相場情報（取引結果や指標情報）のグラフを表示するサービスに於いて、指標情報の特性に起因して時間軸の共通性が破れる場合でも、グラフ間の時間軸についての対応関係を容易に把握することができるようにするプログラムを提供できる。
【図面の簡単な説明】
【００１５】
【図１】実施の形態のシステム構成を示すブロック図。
【図２】スクリーニング初期画面を例示する説明図。
【図３】銘柄選択画面を例示する説明図。
【図４】情報推移画面（カーソルが第１種のグラフ表示領域に在る場合）を例示する説明図。
【図５】情報推移画面（カーソルが第２種のグラフ表示領域に在る場合）を例示する説明図。
【図６】データベースの構成例の説明図。
【図７】実施の形態のシステムの動作手順を示すフローチャート。
【発明を実施するための形態】
【００１６】
図面を参照して、本発明の実施の形態を説明する。
図１及び図７に示すように、本実施の形態は、任意のクライアント２０が、インターネット３０を介して、サーバ１０に対してスクリーニング要求を送信し、これに応じて、サーバが所要のスクリーニング処理を実行するように、構成される。任意のクライアント２０は、通常のコンピュータ装置であり、ディスプレイ（モニタ）２１や、入力装置（キーボード，マウス等）を備える。インターネットを介してサーバにクライアントを接続する図１の構成は、公知であるため、これ以上の説明は省略する。
【００１７】
サーバ１０は、相場取引の取引結果と、該取引結果から生成される指標情報と、を含む相場情報を、銘柄と取引日とに対応付けて保持するデータベース１１を有する。
データベース１１は、図６に例示される構成を成し、日々の取引結果に応じて、日々更新される。
データベース１１は、具体的には、銘柄名とコードと取引日とに対応付けて、市場、業種、終値、前日比、騰落率、出来高、売買代金、サイコロジカル、ＶＲ、ＲＳＩ、ＭＡＣＤ、連騰／連敗、新値本数（１カ月）、新値本数（３カ月）、新値本数（６カ月）、新値本数（１２カ月）、終値−５ＤＭＡ乖離、終値−１０ＤＭＡ乖離、終値−２５ＤＭＡ乖離、終値−７５ＤＭＡ乖離、５−１０ＤＭＡ乖離、５−２５ＤＭＡ乖離、５−７５ＤＭＡ乖離、１０−２５ＤＭＡ乖離、１０−７５ＤＭＡ乖離、２５−７５ＤＭＡ乖離、窓開け、値幅率（始値−終値）、値幅率（高値−安値）を、保持している。なお、これら以外の項目を有していてもよいことは勿論である。
なお、データベース１１とサーバ１０とを、インターネット等のネットを介して接続しても良いことは、勿論である。
【００１８】
フローチャート（図７）を参照して、スクリーニング処理を説明する。
任意のクライアント２０が、サーバ１０に対し、インターネット３０を介してスクリーニング要求を送信することにより、図７のスクリーニング処理が開始される。即ち、サーバ１０は、当該のクライアント２０に関して、スクリーニング処理に必要な各種の処理を実行し得る状態に設定される。
【００１９】
スクリーニング要求が検出されると、サーバ１０は、スクリーニング初期画面のデータを、要求元のクライアント２０へ返す（Ｓ０１）。これにより、当該クライアント２０のモニタ２１には、スクリーニング初期画面（図２参照）が表示される。
【００２０】
スクリーニング初期画面（図２）に於いて、少なくとも対象市場と対象業種が指定された状態で、スクリーニングの実行ボタンが操作（マウスクリック）されると、その操作に応じて、銘柄一覧要求がサーバ１０へ送られる。図２では、市場として「東証１部」が指定されるとともに業種として「精密機器」が指定された状態が示されている。なお、「日経平均採用銘柄」や「当日の売買が無かった銘柄の除外」等の条件指定は、「銘柄一覧要求」に関する限り任意であり、必須ではない。
【００２１】
銘柄一覧要求が検出されると、サーバ１０は、指定された市場且つ指定された業種の各銘柄を抽出して、所望の銘柄を選択できる画面（一覧画面）のデータを、要求元のクライアント２０へ返す（Ｓ０３）。これにより、当該クライアント２０のモニタ２１には、一覧画面（構成１や請求項１等の「所定の銘柄選択画面」；図３参照）が表示される。図３の例では、「ＡＡＡ」等の４銘柄が抽出された状態が示されている。なお、「指定された市場且つ指定された業種の銘柄」の抽出は、データベース１１へのアクセスで行ってもよいが、通常は、専用のテーブルをサーバ１０が予め構成してＲＡＭ（不図示）等に保持しておき、そのテーブルから抽出する。
【００２２】
クライアント２０の一覧画面（図３）に於いて、ユーザ所望の銘柄が選択（マウスクリック）されると、その操作に応じて、当該選択された銘柄の「相場情報要求；図７で「銘柄選択」」がサーバ１０へ送られる。例えば、図３に於いて「銘柄：ＡＡＡ」がマウスクリックされると、「ＡＡＡ」の相場情報を要求するデータ「銘柄選択」が、サーバ１０へ送られる。
【００２３】
相場情報要求（銘柄選択）が検出されると、サーバ１０は、当該選択された銘柄の各相場情報をデータベース１１から取得して、それらの相場情報をグラフ化して表示するためのデータ（構成１や請求項１等の「情報推移画面」用のデータ）を、要求元のクライアント２０へ返す（Ｓ０５）。
【００２４】
これにより、当該のクライアント２０のモニタ２１には、グラフ表示領域が画定された情報推移画面（図４，図５参照）が表示される。図示の例では、ローソク足、出来高、サイコロジカル、ＲＳＩ、ボリュームレシオ、及び、ＭＡＣＤオシレータの各グラフが、それぞれ、第１種のグラフ表示領域に表示され、新値三本足のグラフが第２種のグラフ表示領域に表示された状態が示されている。また、ローソク足のグラフ表示領域では、右端に設けられた選択ボタンの中の５ＤＭＡ、２５ＤＭＡ、７５ＤＭＡにチェックが入れられているため、ローソク足と併せて、５ＤＭＡ、２５ＤＭＡ、７５ＤＭＡの各グラフも表示されている。同様に、出来高のグラフ表示領域では、右端に設けられた選択ボタンの中の１０ＤＭＡにチェックが入れられているため、出来高と併せて、１０ＤＭＡのグラフも表示されている。
【００２５】
図４は、画面上での現在位置を指すマウスカーソルが、第１種のグラフ表示領域に在る場合を示す。第１種のグラフ表示領域とは、横軸に取引日を時系列に目盛るとともに、縦軸にそれぞれの指標情報（ローソク足、出来高、サイコロジカル、ＲＳＩ、ボリュームレシオ、ＭＡＣＤオシレータの指標値）を目盛ったグラフ表示領域である。
【００２６】
図５は、画面上での現在位置を指すマウスカーソルが、第２種のグラフ表示領域に在る場合を示す。第２種のグラフ表示領域とは、指標の特性により複数の取引日が重ねられた重複取引日又は取引日を横軸に時系列に目盛るとともに、縦軸に指標情報（新値三本足の指標値）を目盛ったグラフ表示領域である。新値三本足は、新値が変動しない限りグラフ上に表れない指標であるため、時間軸の重複が発生する。このため、直近３カ月間のグラフ領域も、ローソク足、出来高、サイコロジカル、ＲＳＩ、ボリュームレシオ、ＭＡＣＤオシレータが３カ月分の日数であるのに対して、新値三本足では、図示のように時間軸方向で圧縮（横軸方向で圧縮（短縮））されている。
【００２７】
第１種のグラフ表示領域にマウスカーソルが在る場合（図４）は、マウスカーソル位置が指す「取引日」が一意に決まるため、マウスカーソル位置から横軸上の当該の取引日に垂線が下ろされるとともに、マウスカーソル位置近傍（図示の例では垂線の直上）に、当該の取引日「２０１２／０４／０４」が表示される。
また、第２種のグラフ表示領域では、当該の取引日「２０１２／０４／０４」を含む重複取引日の位置を明示するべく、当該の重複取引日に交叉する垂線が表示される。
【００２８】
第２種のグラフ表示領域にマウスカーソルが在る場合（図５）は、マウスカーソル位置により「取引日」を一意に決めることができないため、マウスカーソル位置から横軸上の重複取引日に垂線が下ろされる。
また、第１種のグラフ表示領域では、当該の重複取引日を構成する複数の取引日の両端の取引日に対し、それぞれ交叉するように垂線が表示される。これにより、ユーザは、新値三本足の指標値が、何れの取引日期間の値であるかを容易に把握できる。
【００２９】
なお、図４と図５では、表示期間として、画面内上端に設けられているラジオボタンの操作により、直近の３カ月が表示されている。また、図４と図５では、画面内上端に設けられている７個の選択ボタン（出来高、サイコロジカル、ＲＳＩ、ボリュームレシオ、ＭＡＣＤ、新値三本足の各選択ボタン）へのチェックの有無により、表示すべきグラフを制御している。図示の例では、全ての選択ボタンにチェックが入れられた結果、これら７個の全てが表示されている。
【００３０】
第１種のグラフ表示領域にてマウスを操作すると、マウスカーソルから下ろされた垂線が交叉する取引日が選択されて、サーバ１０へ送られる。
サーバ１０からは、指標情報種と該指標情報種に附属するメッセージが返されて、図４に示すように、ポップアップ表示される（Ｓ０７）。
このポップアップ表示にて、所望の指標情報種及び附属メッセージを選択すると、当該の指標情報種及び附属メッセージが選択されて、サーバ１０へ送られる。
なお、ポップアップ表示のための処理をクライアント２０にて行うように構成してもよい。その場合、そのための機能は、前述の「スクリーニング初期画面」と同様に、サーバ１０から、適時に提供されているものとする。
【００３１】
また、図示の例では、１個の指標情報種のみがポップアップ表示されているが、このような構成に代えて、その時点でグラフ表示されている全ての指標情報種（＝前記７個の選択ボタンにチェックが入れられている指標情報種）を、選択可能にポップアップ表示するように構成してもよい。
そのように構成すると、当該の取引日に於ける各グラフの状態を見て、特徴的な変動を示す指標情報種を容易に見つけ出すことができ、これにより、その指標情報種を、スクリーニング条件として容易に選択することができる。
【００３２】
このようにして、取引日と指標情報種及び附属メッセージがインターネットを介して入力されると、サーバ１０は、データベース１１から該当するデータ（例：当該取引日等の当該指標情報種の値を読み出して、その図解画像を作成して、当該のクライアント２０へ返す（Ｓ０９）。
【００３３】
例えば、ユーザにより指標情報種及びメッセージとして「移動平均線が類似する銘柄をスクリーニング（２日間を評価します）」が選択されていた場合、サーバ１０は、データベース１１から、現在選択されている銘柄ＡＡＡ（ステップＳ０５参照）の、現在選択されている取引日当日及び前日の、移動平均線（図４では、５ＤＭＡ、２５ＤＭＡ、７５ＤＭＡの３種類の移動平均線が選択されている）の状態（上げ／変化無し／下げ）を、それぞれ取得して、（イ）取得した状態が「上げ」であれば「右上がりの矢印」、（ロ）取得した状態が「変化無し」であれば「右向き水平矢印」、（ハ）取得した状態が「下げ」であれば「右下がりの矢印」用の図解データをそれぞれ作成する。なお、ここで記述した図解態様は一例であり、これら以外であってもよい。
こうして作成した図解表示データを、当該のクライアント２０へ返す（Ｓ０９）。
【００３４】
これにより、クライアント２０のモニタ２１には、ユーザが選択した銘柄の、ユーザが選択した取引日等（上述の例では、取引日当日及び前日）の、ユーザが選択した指標情報種の状態（５ＤＭＡ、２５ＤＭＡ、７５ＤＭＡの３種類の移動平均線の状態）が、図解表示される。
ユーザが、確認操作を行うことにより、上記をスクリーニング条件とする指示が、サーバ１０へ送られる。
【００３５】
これに応じて、サーバ１０では、当該のスクリーニング条件を満たす銘柄が、データベース１１から抽出されて、要求元クライアント２０へ返される（Ｓ１１）。
上述の例では、本日及び前日の、ユーザが選択した指標情報種の状態（５ＤＭＡ、２５ＤＭＡ、７５ＤＭＡの３種類の移動平均線の状態）が、図解表示された状態を満たしている銘柄が抽出されて、要求元のクライアント２０へ返される。
なお、検索範囲としては、当初の検索範囲と同じ（上述の例では「東証一部」「精密機器」）でもよく、この時点で、ユーザが新たに設定するようにしてもよい。
【００３６】
このように、本実施の形態によると、ユーザは、視覚的に把握した特徴に基づいて、当該の特徴が反映されたスクリーニング条件を設定することができる。
また、指標情報種の特性により時間軸上で重複があり、時間軸が圧縮されている場合でも、その取引日の対応関係を容易に把握することができる。
【００３７】
上記では、サーバ１０を単一の装置として図示（図１参照）しているが、本発明は、このような構成に限定されず、ネットを介して接続された複数のコンピュータを連携させてサーバ１０の機能を実現させてもよいことは勿論である。
また、上記では、サーバ１０により所要のスクリーニング処理を実行して、クライアントへは実行結果を返すように構成しているが、上記所要のスクリーニング処理の中の或る部分機能を、予め、クライアント（契約した特定のクライアント）に持たせておき、当該の諸機能を当該の特定のクライアントにて実行するように構成してもよい。
【符号の説明】
【００３８】
１０  サーバ
１１  データベース
２０  クライアント
２１  クライアントのディスプレイ（モニタ）
２２  クライアントの入力装置（キーボード，マウス）
３０  インターネット
【図１】
0005878076.tif 000002
【図２】
0005878076.tif 000003
【図３】
0005878076.tif 000004
【図４】
0005878076.tif 000005
【図５】
0005878076.tif 000006
【図６】
0005878076.tif 000007
【図７】
0005878076.tif 000008